(57)【要約】【課題】皮膚栄養剤が超音波振動を通じて皮膚内層に伝達されるように、皮膚に接触する皮膚接触面を改善した超音波導子を提供すること。【解決手段】本発明の実施形態に係る超音波導子は、超音波振動刺激を皮膚に伝達するものであって、皮膚に接触する導子部と、前記導子部に超音波振動を伝達するように超音波を発生する超音波発生部とを含み、前記導子部は平らな上面を有する本体と、前記本体の上面に突出形成される皮膚接触部とを含み、前記皮膚接触部は前記導子部の上面に垂直に形成される胴部と、前記胴部の上端部に形成され弧形からなる支持部とを含む。本発明によれば、皮膚に接触する皮膚接触面の形状を改善させることにより、超音波振動の刺激を通じて皮膚内層に栄養物質を十分に伝達でき、皮膚内の老廃物の排出や皮膚外層の角質除去の効率を向上させる効果を有する。【選択図】図１
2020110592.tif 000002
【特許請求の範囲】
【請求項１】
超音波振動刺激を皮膚に伝達するものであって、
皮膚に接触する導子部と、
前記導子部に超音波振動を伝達するように超音波を発生する超音波発生部とを含み、
前記導子部は、
平らな上面を有する本体と、前記本体の上面に突出形成される皮膚接触部とを含み、
前記皮膚接触部は、
前記導子部の上面に垂直に形成される胴部と、
前記胴部の上端部に形成され弧形からなる支持部と、を含むことを特徴とする
超音波導子。
【請求項２】
前記胴部と支持部は導子部と同じ材質からなるか、または前記胴部と支持部は導子部と異種材質からなることを特徴とする
請求項１に記載の超音波導子。
【請求項３】
前記胴部は金属材質であり、前記支持部はシリコン材質で形成されることを特徴とする
請求項１に記載の超音波導子。
【請求項４】
前記金属材質は、アルミニウムが混合されたステンレスであることを特徴とする
請求項３に記載の超音波導子。
【発明の詳細な説明】
【技術分野】
【０００１】
本発明は、超音波導子に係り、より詳細には、皮膚と接触する超音波導子に関する。
【背景技術】
【０００２】
本明細書で他に表示されない限り、本識別項目で説明される内容は本出願の請求範囲に対する従来技術ではなく、また、本識別項目に記載されているという理由で従来技術であると認められるものではない。
【０００３】
一般的に、人体の皮膚はバリアゾーンによって外部の刺激や物質から自らを保護している。  
つまり、水溶性物質は、皮膚の中にうまく入らないようになっている。  
それゆえ、いくら有効な成分が配合された化粧品や高価な化粧品だとしても、満足のいく結果を得られない。
【０００４】
そこでビューティイオン導入皮膚管理機が適用されたものがイオン導入法である。  
これは、電気の作動により、皮膚深部の老廃物を除去、化粧品の有効成分の浸透を手助けしているものである。
【０００５】
イオン導入法は、３００年以上前から医療分野では皮膚内に薬剤を浸透させる場合などに利用されてきており、現在では皮膚科や形成外科などでシミやしわの治療に良い効果を出している。
【０００６】
また、顔面の皮膚が弾力を失わないように保護し、若く、美しさを保つことができるようにする方法としては、化粧品を利用する方法が広く利用されているが、皮膚表皮の角質層の下には厚いタンパク質の保護層で防御壁が形成されて保護しており、このタンパク質の保護層によって皮膚の表皮と真皮層が分離されているので、バイオ物質などが添加されて、肌の保護効果に優れた化粧品を使用しても真皮層に溜まった老廃物を除去できず、また、化粧品の栄養が真皮層まで深く浸透されず、皮膚保護の効果が非常に不十分である。
【０００７】
既存の超音波振動を利用した皮膚美容機器の場合、超音波振動によって肌を刺激して皮膚内の老廃物を外に排出させたり、皮膚外層の角質を除去する目的で使用されてきた。
【０００８】
皮膚に接触する超音波導子は、表面に多数の突起を形成して皮膚を刺激するようにしたが、皮膚栄養剤が皮膚内層に伝達される効率が低いという問題があった。
【先行技術文献】
【特許文献】
【０００９】
【特許文献１】韓国公開特許公報第１０−２０１４−００６７４８２号
【発明の概要】
【発明が解決しようとする課題】
【００１０】
本発明は、マスクパックや栄養クリームのような皮膚栄養剤が超音波振動を通じて皮膚内層に伝達されるように、皮膚に接触する皮膚接触面を改善した超音波導子を提供することにその目的がある。
【課題を解決するための手段】
【００１１】
実施形態の目的は、超音波振動刺激を皮膚に伝達するものであって、皮膚に接触する導子部と、前記導子部に超音波振動を伝達するように超音波を発生する超音波発生部とを含み、前記導子部は、平らな上面を有する本体と、前記本体の上面に突出形成される皮膚接触部とを含み、該皮膚接触部は、前記導子部の上面に垂直に形成される胴部と、該胴部の上端部に形成され、弧形からなる支持部とを含む超音波導子によって達成することができる。
【発明の効果】
【００１２】
本発明の実施形態によれば、皮膚に接触する皮膚接触面の形状を改善させることで、超音波振動の刺激を通じて皮膚内層に栄養物質を十分に伝達することができ、皮膚内の老廃物の排出や皮膚外層の角質除去の効率を向上することができる効果がある。
【図面の簡単な説明】
【００１３】
【図１】本発明の一実施形態に係る超音波導子を示す斜視図である。
【図２】本発明の一実施形態に係る超音波導子を示す断面図である。
【図３】本発明の一実施形態に係る超音波導子が適用されたハンドピースを示す斜視図である。
【発明を実施するための形態】
【００１４】
以下、添付図面を参照して、本発明の実施形態を詳細に説明する。
【００１５】
以下で説明する実施形態は、本発明の属する技術分野において通常の知識を有する者が発明を容易に実施できる程度、詳細に説明するためのものであり、これによって本発明の技術的な思想及び範疇が限定されるものを意味するものではない。
【００１６】
また、図示した構成要素の大きさや形状等は、説明の明瞭性と便宜上誇張して図示したものと言え、本発明の構成と作用を考慮して特別に定義された用語は、使用者、運用者の意図または慣例によって異なることがあり、これらの用語の定義は、本明細書全般にわたる内容に基づいて下されなければならないことを明らかにしておく。
【００１７】
添付の図面のうち、図１は、本発明の一実施形態に係る超音波導子を示す斜視図であり、図２は、本発明の一実施形態に係る超音波導子を示す断面図であり、図３は、本発明の一実施形態に係る超音波導子が適用されたハンドピースを示す斜視図である。
【００１８】
図１乃至図３に示すように、本発明の実施形態に係る超音波導子が適用されたハンドピースは、超音波振動刺激を皮膚に伝達するものであって、皮膚に接触する導子部１００と、前記導子部１００に超音波振動を伝達するように超音波を発生する超音波発生部２００とを含む。
【００１９】
導子部１００は、超音波振動が伝達されるように金属材質からなり、平らな上面を有する本体１２０と、前記本体１２０の上面に突出するように形成される皮膚接触部１４０とを含む。
【００２０】
本体１２０または皮膚接触部１４０を構成する金属材質は腐食に強く、皮膚トラブルを防ぐことができるように、チタンまたはアルミニウムが混合したステンレスからなる。
【００２１】
皮膚接触部１４０は、導子部１００の上面１０３に垂直に形成される胴部１４２と、前記胴部１４２の上端部に形成され弧形からなる支持部１４４を含む。
【００２２】
皮膚接触部１４０は、図２及び図３に示すように、断面形状を見ると、上端が弧形からなる胴部１４２が両側に対称に形成され、略円形を成し、このような円形からなる皮膚接触部１４０が同心円状に多数形成されてなる。
【００２３】
胴部１４２と支持部１４４は、導子部１００と同じ材質の金属からなる。
【００２４】
または、胴部１４２と支持部１４４は、導子部１００と異種材質からなることもできる。
【００２５】
例えば、胴部１４２は金属材質で、支持部１４４はシリコン材質で形成されるものである。
【００２６】
胴部１４２をなす金属材質は、アルミニウムが混合されたステンレスである。
【００２７】
支持部１４４は、シリコンで形成することにより、皮膚との密着力が増して支持部１４４を皮膚に接触させた状態で押すと、毛穴を拡張させてくれる伸長力を発揮でき、このように拡張された毛穴を通じて皮膚栄養剤の成分がより深く浸透できる。
【００２８】
好適な実施形態に関連して説明したが、発明の要旨と範囲から逸脱することなく多様な修正や変形が可能なことは、当業者であれば容易に認識することができることであり、このような変更及び修正はすべて、添付の請求の範囲に属することは自明である。
【符号の説明】
【００２９】
１００  導子部
１２０  本体
１４０  皮膚接触部
１４２  胴部
１４４  支持部
２００  超音波発生部
【図１】
2020110592.tif 000003
【図２】
2020110592.tif 000004
【図３】
2020110592.tif 000005